(57)【要約】【課題】  皿の上で切る際に、簡単で安定した操作ができる事と、一定した場所で切り落とす、又は削り落とす、又は擦り下ろす事ができる野菜カッターを提供する。【解決手段】上記課題を解決するために、本発明は、表面に刃又は、刃及び下側に貫通する孔を形成した板状部材から成る台座部の前方又は／及び後方端部の下側に脚部を形成し、後方端部に外側に伸張する板状又は棒状部材から成る把持部を形成した野菜カッターにおいて、台座部の前方又は／及び後方端部の下側に形成された脚部のどちらかが、前方端部においては前方端部以外、後方端部においては後方端部以外の台座部下面又は該下面に形成された部材又は脚部よりも、台座部上面から先端までの寸法が、該上面と直交する方向において少なくとも２ｃｍ以上長く形成されている事を特徴とする野菜カッターを提供する。【選択図】    図１
2005088185.tif 000002
【特許請求の範囲】
【請求項１】
表面に刃又は、刃及び下側に貫通する孔を形成した板状部材から成る台座部の前方又は／及び後方端部の下側に脚部を形成し、後方端部に外側に伸張する板状又は棒状部材から成る把持部を形成した野菜カッターにおいて、台座部の前方又は／及び後方端部の下側に形成された脚部のどちらかが、前方端部においては前方端部以外、後方端部においては後方端部以外の台座部下面又は該下面に形成された部材又は脚部よりも、台座部上面から先端までの寸法が、該上面と直交する方向において、少なくとも２ｃｍ以上長く形成されている事を特徴とする野菜カッター。
【請求項２】
脚部に回転軸を形成した請求項１に記載の野菜カッター。
【請求項３】
脚部を少なくとも２本の棒状又は板状部材で形成した請求項１〜２のいずれかに記載の野菜カッター。
【請求項４】
板状部材の下側に、容器に嵌合させるための凹部又は凸部を形成した請求項１〜３のいずれかに記載の野菜カッター。
【発明の詳細な説明】
【発明の詳細な説明】
【技術分野】
【０００１】  本発明は野菜や果物を切ったり、削ったり、擦り下ろしたりする野菜カッターに関する。
【背景技術】
【０００２】  従来、この種の野菜カッターは使用する際には、皿又はまな板などの上にその先端部を乗せて、カッターの手前を把持し持ち上げて使用していた。皿の上縁に乗せて作業するとその動作の連動で皿が動いたりひっくり返ったりする不具合が生じていた。皿から離すと、保持するのに力が要り主婦にとっては大変な作業となっていた。
【発明が解決しようとする課題】
【０００３】  本発明は上記の問題を解決するもので、皿の縁部から上側に離して位置させ且つ、安定させて切り落とす事、又は削り落とす事、又は擦り下ろす事を課題とする。
【課題を解決するための手段】
【０００４】    上記課題を解決するために、本発明の第一の態様は、表面に刃又は、刃及び下側に貫通する孔を形成した板状部材から成る台座部の前方又は／及び後方端部の下側に形成された脚部のどちらかが、前方端部においては前方端部以外、後方端部においては後方端部以外の台座部下面又は該下面に形成された部材又は脚部よりも、台座部上面から先端までの寸法が、該上面と直行する方向において、少なくとも２ｃｍ以上長く形成されている事を特徴とする野菜カッターを提供する。
【発明を実施するための最良の形態】
【０００５】  以下、図面を参照しながら本発明の各種態様に係る野菜カッターに関して説明する。以下の説明は、本発明の技術思想を具現化する幾つかの具体例を説明するものであり、本発明は以下の説明に限定されるものではない。【０００６】  図１は本発明の野菜カッターの形態を示す斜視図である。図１に示される野菜カッターは表面に刃１を取り付けて、更に孔２を形成した板状部材から成る台座部３と該台座部の前方の下側に形成された脚部４と後方端部に外側に伸張して形成された板状部材から成る把持部５とで構成されている。ここで云う、前方と後方とは，使う人の側を後方とし反対側の前方向を前方としている。通常、把持部５は使う人の側であるから後方と位置付けしている。但し、前方と後方は方向を示すものであり、部分的位置を示すものではない。これを使用する際には、野菜を刃１に当てながら、台座部３の上面を前後に動かす。切られ、又は削られ、又は擦られた野菜は孔２を通って下方に落ちる事となる。本発明の野菜カッターには脚部４が形成されているので、切った野菜を皿の上に盛り付ける場合、把持部５を保持しながら、皿の外側に脚部４を置く事で、刃１が皿から略一定した高さを有する事ができ、そのため落としたい位置に、野菜を切り落とす、又は削り落とす、又は擦り下ろす事ができる。実施上、脚部４は台座部３の前方又は／及び後方端部の下側にあればその他の形成位置は任意である。又、脚部４の高さは台座部３の下面より脚部４の先端まで３ｃｍ以上ある事が下側に皿を置くのに好ましい。又、脚部４の位置を台座部３の下側で任意に変えられる構造としても良い。又、その他の部分に就いて云えば、台座部３の寸法は幅が８〜１０ｃｍ程度、長さは１５〜２０ｃｍ程度が好ましい。又、刃１と孔２の形状は任意である。又、孔２の出口に切った物を下方に案内する案内板を付けても良い。又、把持部５に就いて云えば伸張方向は任意である。又、後方端部であれば側方に形成しても構わない。又、寸法は幅が３〜４ｃｍ程度、長さは縦方向又は横方向で１０ｃｍ程度が好ましい。又、ここで云う把持部とは指先でも握れるものであれば把持部と云う。又、把持部５を斜め下方に伸張して、置いた際に台座部３が水平になるよう、脚部４と同程度の高さになるよう形成しても良い。このようにすると、置いた際、脚部としても機能し安定性を増すことができる。又、先端部は更に安定させるために広げてある事が好ましい。又、端部に脚部を形成しても良い。又、刃１と孔２に就いて云えば、刃１の形状はいかなる形状のものでも構わない。図１では野菜を薄く切るための薄板状の刃１を示しているが、野菜を擦り下ろすためのギザギザな形状の刃でも良い。野菜を切る、削る、擦り下ろす事のできるものは全て刃見なす事ができる。又、孔２の形状も任意である。又図１では孔２を説明しているが、孔２を有さず、台座部３の表面に刃１だけを形成したものでも良い。【０００７】  図２は上記態様に係る更なる形態を示す側面図である。図２−ａに示す野菜カッターは台座部３の前方端部の下側に脚部４が形成され、後方端部に外側に伸張する把持部５が形成されており、更に前方端部以外に他の部材６が形成されている。その際、前方端部の下側に形成された脚部４が、前方端部以外に形成された他の部材６よりも、台座部３の上面７から先端までの寸法が、該上面７と直交する方向において少なくとも２ｃｍ以上長く形成されている。図２−ｂは台座部３の後方の端部の下側に脚部４が形成され、後方の端部以外に他の部材６が形成されており、前記と同じく後方に把持部５が形成されている。後方の端部に脚部４が形成されている場合も前記と同様であり、後方の端部以外に形成された他の部材６よりも長く形成されている。この２つのケースは前方と後方の違いだけであって、どちらの構造であっても皿の上側に離して、本野菜カッターを位置させる考え方は同一であり、ここで云おうとする技術基調が変わるものではない。但し、要件としているのは、前方と後方の端部２箇所に脚部４が有る場合にはどちらかが長くなると云う事である。なぜこの様にするかと云えば、もともと本発明は皿などの上側に本野菜カッターを位置させる事が目的であり、又、切る、削る、擦る等の作業をする際、台座部３を略水平にしておく事が好ましく、もし台座部３が一端部以外に脚部を有しているとすると、該脚部が長い場合には、その先端部が邪魔をして皿を台座部の下に入れられない不具合が生じる。もし入れたとしても台座部３を水平にして使用する際には、該脚部の先端部が皿の中に入ってしまう事が起こり得るし、その際、脚部が皿の内側に触れたり、内側に入っている食べ物に触れたりして、衛生上、好ましくない事態が生じる事となる。本発明ではこの様な事態を回避するために、長い方の脚部４の先端部を支点とし、水平状態に置いた際、他の部分が置いた面から上方に上がっているようにするものである。実施上、端部に形成された支点となる脚部４は台座部３の下側に形成された他の部材又は脚部よりも３ｃｍ以上は長く形成することが好ましい。このようにすれば、皿を内側に入れることがスムーズとなり、皿に接触する事も無しに、概ね水平度を保ちながら作業ができる事となる。以上において端部以外に部材を形成する点について言及したが、部材が形成されていない場合においても考え方は同じであり、台座部下面と脚部支点との間に２ｃｍ以上の長さの差、即ち間隙があれば皿をいれる事が可能である。但し実施上は前述【０００６】で説明したように３ｃｍ以上ある事が好ましい。又、ここで云う、脚部３を形成する台座部３の端部とは先端部から５ｃｍ以内の部分を示すものである。【０００８】  図３は本発明の他の態様に係る野菜カッターの脚部４の構造を示す側面図である。図３に示す野菜カッターは脚部４の台座部３及び把持部５との接合部分に回転軸８を形成したものである。このようにすると、使用しない時には、脚部４を上側に折りたたむ事ができるので収納する際に場所を取らずすむので都合が良い。実施上、回転軸８の形成位置は脚部４の上側が好ましく、図３で示す把持部５との接合部に形成するのがコンパクトにする点から最も好ましい。又、図３で示すように脚部４の先端を開いて固定するように形成すると、使用中の動きに連動して、脚部４が滑り戻るのを防ぐ事ができる。【０００９】  図４は本発明の他の態様に係る野菜カッターの脚部４の構造を示す平面図ａとｂとｃであり、図４は脚部４を下側から見た図である。図４−ａに��す野菜カッターは脚部４が２本の棒状部材で形成されている。このようにすると、皿の縁を２本の脚部４に接触させ、沿わせて回転させる事により、刃１と脚部４の間隔が一定である事から皿の縁に沿って切った物を皿に盛る事ができる。又、図４−ｂに示すように板状部材を湾曲させて脚部４を形成しても良い。このようにして、板状部材の両先端部の２箇所に皿の縁を接触させれば、効果は前記と同様である。又、図４−ｃに示すように板状部材を屈曲させて脚部４を形成しても良い。これも効果は前記と同様である。実施上、脚部間の寸法は８〜１０ｃｍ程度が好ましい。高さは２ｃｍ以上ある事が好ましい。又、脚部４は台座部３の面に対して直交する必要は無く、前述のごとく先端部を外側に開いた形でも良い。【００１０】  図５は、本発明の他の態様に係る野菜カッターの容器９との取り合いを示す断面図ａとｂとｃである。図５−ａは台座部３の下部に凹部１０を形成し、容器９の縁を曲げて、横方向に嵌合させたものである。ここで云う台座部３の下部とは台座部３の下側方向を示すものであり、脚部４及び把持部５の下側も範囲に含まれるものである。又、同様に台座部３と容器９とを嵌合させる方法として図５−ｂで示すように台座部３の下部に容器９の縁に沿って凸部１１を形成して容器９の内側に嵌合させる事ができる。この場合、脇に形成されている凹部１０と嵌合している事と取ることもできる。又、図５−ｃで示すように容器９の外側に嵌合しても良い。又、ここで云う容器９の縁に沿うというのは、連続している必要はなく断続していても良い。【００１１】  上記において、本発明の野菜カッターの各部分の好ましい寸法に就いて言及したが、上記の説明に限定される事なく、形状、寸法、角度などは適宜経験的に決定する事ができる。又、材質に就いても同様、金属、セラミック、プラスチックなど、適宜経験的に決定できる。
【発明の効果】
【００１２】  本発明に係る野菜カッターによれば、脚部を利用して刃を高い位置に安定して保持できるため、皿の上などで切る際に簡単に操作ができる事と、一定した場所に切り落とす又は削り落とす又は擦り下ろす事ができる。
【図面の簡単な説明】
【図１】  本発明の一態様に係る野菜カッターの形態を示す斜視図である。
【図２】  本発明の一態様に係る野菜カッターの形態を示す側面図である。
【図３】  本発明の他の態様に係る野菜カッターの脚部の構造を示す側面図である。
【図４】  本発明の他の態様に係る野菜カッターの脚部の構造を示す平面図ａ、ｂ、ｃである。
【図５】  本発明の他の態様に係る野菜カッターの容器との取り合いを示す断面図ａ，ｂ，ｃである。
【符号の説明】
１    刃
２    孔
３    台座部
４    脚部
５    把持部
６    他の部材
７    台座部の上面
８    回転軸
９    容器
１０  凹部
１１  凸部
【図１】
2005088185.tif 000003
【図２】
2005088185.tif 000004
【図３】
2005088185.tif 000005
【図４】
2005088185.tif 000006
【図５】
2005088185.tif 000007